(57)【要約】【課題】本発明は平型導体用電気コネクタを提供する。【解決手段】本発明は絶縁ハウジングと、シールドケースを備え、平型導体の2つの切欠き部に対応するところに絶縁ハウジングにはそれぞれ垂直嵌め溝が設けられる。前記垂直嵌め溝には絶縁ハウジングと一体に連接されるスナップフィット部が内設され、当該スナップフィット部は斜め上方向に延びる弾性アームと、弾性アームのエンドから下向きに延びる保持部を備え、当該弾性アームは一端が前記絶縁ハウジングに一体に連接される。当該垂直嵌め溝の内側壁には係合ブロックが凸設され、当該係合ブロックは前記弾性アームの自由端側に位置し、且つ当該係合ブロックは前記保持部の下方に位置する。平型導体を前記案内溝に挿嵌した後、前記スナップフィット部の前記保持部が前記係合ブロックの下方に係止するまで、前記スナップフィット部を下向きに押せばよい。本発明は構造が簡単で、製造しやすく、手軽且つ迅速に組み立て可能で、組立後の平型導体も構造が安定で抜けにくく、生産効率及び製品品質を効果的に向上させる。
2015518247.tif 000002
【特許請求の範囲】
【請求項１】
絶縁ハウジングを備え、当該絶縁ハウジングの側面には、前端に連接部の設けられる平型導体を、導入するために開口された案内溝が形成され、相対する反対側には、相手コネクタと嵌合するための嵌合部が形成され、前記嵌合部には前記案内溝と連通する嵌合口が設けられ、開口した案内溝に平型導体の連接部を導入し、前記嵌合部に位置決めつつ相手コネクタと接触する電気コネクタにおいて、
前記絶縁ハウジングが平型導体の厚さ方向に沿って平型導体の二つの切欠き部に対応するところにそれぞれ前記案内溝を貫通する嵌め溝が欠設されることを特徴とする平型導体用電気コネクタ。
【請求項２】
前記嵌め溝内の一端に前記絶縁ハウジングからスナップフィット部が一体に形成され、もう一端には係合ブロックが凸設され、当該スナップフィット部は前記絶縁ハウジングに連接される弾性アームと保持部を備え、平型導体が前記案内溝に挿嵌後、前記保持部は自由端が前記弾性アームの反発作用によって外部からの押圧により前記係合ブロックに係合し、前記保持部は前記案内溝に伸び、平型導体の切欠き部に係合して平型導体の抜けを防止することを特徴とする平型導体用電気コネクタ。
【請求項３】
前記嵌め溝内には前記絶縁ハウジングから連接アームが突出され、当該連接アームが前記弾性アームと連接されることを特徴とする請求項１に記載の平型導体用電気コネクタ。
【請求項４】
前記保持部には平型導体に当接するための当接斜面が設けられることを特徴とする請求項１に記載の平型導体用電気コネクタ。
【請求項５】
前記保持部には更にガイド部を弾性活動させるための逃げ溝が設けられることを特徴とする請求項１に記載の平型導体用電気コネクタ。
【請求項６】
前記嵌合口の左右両側には平型導体の前端を押止するためのストッパー部が設けられることを特徴とする請求項１に記載の平型導体用電気コネクタ。
【請求項７】
前記嵌合口の前端には平型導体の前端を押止するための反り防止部が設けられることを特徴とする請求項１に記載の平型導体用電気コネクタ。
【請求項８】
更にシールドケースと左右２つのロックアームを有することを特徴とする請求項１に記載の平型導体用電気コネクタ。
【請求項９】
前記シールドケースと左右２つの前記ロックアームは一体に形成され、当該ロックアームは押止部と弾性被圧部とフック部を備え、当該押止部は前記シールドケースに一体に連接されることを特徴とする請求項7に記載の平型導体用電気コネクタ。
【請求項１０】
前記シールドケースは前記絶縁ハウジングの内部に位置し、当該シールドケースには当該絶縁ハウジングに固定するための係合構造が設けられることを特徴とする請求項７に記載の平型導体用電気コネクタ。
【請求項１１】
前記シールドケース基板にはコンタクトが設けられ、当該コンタクトは前記案内溝に延びて平型導体と接触することを特徴とする請求項７に記載の平型導体用電気コネクタ。
【発明の詳細な説明】
【技術分野】
【０００１】
本発明は電気コネクタに関し、特に液晶ディスプレーの信号伝送用の平型導体用電気コネクタに関するものである。
【背景技術】
【０００２】
インタネット技術及び通信技術の発展に連れて、消費者の高速の伝送速度に対する需要がますます高くなる。パソコン及び電子製品に搭載される電気コネクタは高周波及び高速の信号伝送に対応しなければならないため、近年開発が進む高速差動伝送(Low voltage differential signaling；LVDS)用コネクタがある。LVDSは短距離用のデジタル有線伝送技術であり、小振幅・低消費電力で比較的高速の差動インターフェースである。低消費電力、低誤読率というメリットがある。
【発明の概要】
【発明が解決しようとする課題】
【０００３】
従来のLVDSコネクタは主要な構造の絶縁ハウジング、シールドケースを備えており、当該絶縁ハウジングは前、後端を開口された収納スペースが形成され、平型導体が当該収納スペースの後端開口から挿嵌され、且つ当該平型導体の前端にある連接部（エッジコネクタ）が収容スペースの前端開口から露出される。平型導体（例えばFPC又はFFC）に対する抜け止め機能としては、平型導体に切欠きが設けられ、且つ位置制御ユニットを当該切欠きと係合させて平型導体を固定する。しかしながら、従来のLVDSコネクタ用の位置制御ユニットは構造が複雑で、このため平型導体を組立てる際に手間がかかるので生産効率の向上には向かない。また、一部のLVDSコネクタには平型導体と組立て後に、嵌合抜けが発生するといった製品不良が発生している。
【０００４】
そこで、本発明は上記の問題点を解決するために、新たな技術を開発しようとするものである。
【０００５】
本発明はこのような従来の問題点に鑑みなされたもので、その主な目的としては平型導体用電気コネクタを提供することにある。本発明では構造が簡単で、手軽且つ迅速に組み立て可能で、組立後の平型導体も構造が安定で抜けにくく、生産効率及び製品品質を効果的に向上させる。
【課題を解決するための手段】
【０００６】
上記目的を達成するために、本発明の平型導体用電気コネクタは、絶縁ハウジングを備え、当該絶縁ハウジングの側面には、前端に連接部の設けられる平型導体を、導入するための開口した案内溝が形成され、相対する反対側には、相手コネクタと嵌合するための嵌合部が形成され、前記嵌合部には前記案内溝と連通する嵌合口が設けられ、開口した案内溝に平型導体の連接部を導入し、前記嵌合部に位置決めつつ相手コネクタと接触する電気コネクタにおいて、
前記絶縁ハウジングが平型導体の厚さ方向に沿って平型導体の二つの切欠き部に対応するところにそれぞれ前記案内溝を貫通する嵌め溝が欠設され、前記嵌め溝の内の一端に前記絶縁ハウジングからスナップフィット部が一体に形成され、もう一端には係合ブロックが凸設され、当該スナップフィット部は前記絶縁ハウジングに連接される弾性アームと保持部を備え、平型導体が前記案内溝に挿嵌後、前記保持部は自由端が前記弾性アームの反発作用を借りて外部からの押圧により前記係合ブロックに係合し、前記保持部は前記案内溝に伸び、平型導体の切欠き部に係合して平型導体の抜けを防止することを特徴とする。
【０００７】
この場合、前記嵌め溝の内には前記絶縁ハウジングから連接アームが突出され、当該連接アームが前記弾性アームと連接されることが好ましい。
【０００８】
前記保持部には平型導体に当接するための当接斜面が設けられることが好ましい。
【０００９】
前記保持部には更にガイド部を弾性活動させるための逃げ溝が設けられることが好ましい。
【００１０】
前記嵌合口の左右両側には平型導体の前端を押止するためのストッパー部が設けられることが好ましい。
【００１１】
前記嵌合口の前端には平型導体の前端を押止するための反り防止部が設けられることが好ましい。
【００１２】
更にシールドケースと左右2つのロックアームを有することが好ましい。
【００１３】
前記シールドケースと左右2つの前記ロックアームは一体に形成され、当該ロックアームは押止部と弾性被圧部とフック部を備え、当該押止部は前記シールドケースに一体に連接されることが好ましい。
【００１４】
前記シールドケースは前記絶縁ハウジングの内部に位置し、当該シールドケースには当該絶縁ハウジングに固定するための係合構造が設けられることが好ましい。
【００１５】
前記シールドケース基板にはコンタクトが設けられ、当該コンタクトは前記案内溝に延びて平型導体と接触することが好ましい。
【発明の効果】
【００１６】
以上の説明から明らかなように、本発明にあっては従来の技術に比べれて明らかなメリット及び効果があり、具体的には次に列挙する効果が得られる。
【００１７】
嵌め溝に絶縁ハウジングと一体に連接されるスナップフィット部が内設されることにより平型導体と係合する。自然状態では前記スナップフィと部は上向いて反りあがりながら、前記案内溝に平型導体を挿嵌後、前記保持部が前記絶縁ハウジングの前記係合ブロックと係合するまで、前記スナップフィット部を押すといい。本発明は構造が簡単で、製造しやすく、手軽且つ迅速に組み立て可能で、組立後の平型導体も構造が安定で抜けにくく、生産効率及び製品品質を効果的に向上させる。
【００１８】
前記保持部には平型導体に当接するための当接斜面が設けられる。これにより、当該スナップフィットが前記絶縁ハウジングの前記係合ブロックの下方に係止した後、平型導体が当該当接斜面の圧力によって前記案内溝の底面にしっかりと押し付けられるため、平型導体の上下振動の発生を有効に防止可能である。そこで、平型導体の組立て後の安定さをさらに向上させる。または、前記保持部の底側面には、前記保持部を平型導体の前記切欠き部に押す際に弾性変形させるための逃げ溝が上向きに凹設される。そのため、前記保持部がより簡単に平型導体の前記切欠き部に押されて係合するようになる。前記保持部が前記切欠き部に係合すると、前記当接斜面が前記保持部の弾性回復によってもっとしっかりと平型導体に押し付けられるようになる。
【００１９】
前記案内溝の前端開口には、後ろ向きに平型導体の前端に当接するためのストッパー部が上向きに凸設され、平型導体の前端の位置を制限する役割を果たす。これにより、平型導体の組立て後の安定さを高め、製品品質を向上させる。
【図面の簡単な説明】
【００２０】
【図１】本発明に係る好ましい実施例の組立て状態を示す斜視図
【図２】本発明に係る好ましい実施例を示す分解図
【図３】図１のＡ−Ａ線断面拡大図（自然状態）
【図４】図１のＡ−Ａ線断面拡大図（係合状態）
【図５】図１のＢ−Ｂ線断面拡大図
【図６】図１のＣ−Ｃ線断面拡大図
【図７】本発明に係る好ましい実施例のもう一つの組立て状態を示す斜視図
【発明を実施するための形態】
【００２１】
本発明の構造的特徴及び効果をより詳しく説明するために、以下、図面及び実施例を合せて本発明について詳しく説明する。
【００２２】
図１乃至図７をご参照下さい。図面に示すように、本発明の好ましい実施の形態に係る平型導体用電気コネクタは絶縁ハウジング１０、シールドケース２０及び平型導体３０を備え、当該平型導体３０には２つの切欠き部３１が欠設される。
【００２３】
図２に示すように、当該絶縁ハウジング１０は一体化した構造であり、当該絶縁ハウジング１０の側面には、前端に連接部の設けられる平型導体３０を、導入するために開口された案内溝１１が形成され、相対する反対側には、相手コネクタと嵌合するための嵌合部が形成され、前記嵌合部には前記案内溝１１と連通する嵌合口１０１が設けられ、開口された案内溝１１に平型導体３０の連接部を導入し、前記嵌合部に位置決めして相手コネクタと接触させる。前記案内溝１１の後端入口に、平型導体３０を簡単に挿嵌させるための案内斜面１３が形成される。図７に示すように、前記嵌合口１０１の左右両側にはそれぞれ反り防止部１４が設けられ、当該反り防止部１４によって平型導体３０の前端を下向きに圧下することで平型導体３０の前端のエッジコネクタ部分が上向きに反りあがるのを防止可能であり、また、前記嵌合口１０１の開口前端には上向きにストッパー部１５が凸設され、当該ストッパー部１５を以って後ろ向きに平型導体３０の前端が当接し、平型導体３０の前端の位置を制限する役割を果たす。
【００２４】
前記切欠き部３１に対応するところに２つの嵌め溝１２が欠設され、平型導体３０が完全に前記案内溝１１に挿嵌すると、当該嵌め溝１２は平型導体３０の厚さ方向に沿って前記案内溝１１と前記絶縁ハウジング１０の外側の間に連通される。
【００２５】
前記嵌め溝１２内に前記絶縁ハウジング１０からスナップフィット部１６が一体に形成され、当該スナップフィット部１６は斜め上方向に延びる弾性アーム１６１と、上下方向に延びる保持部１６２を備え、当該弾性アーム１６１は一端が前記絶縁ハウジング１０に一体に連接され、当該保持部１６２は当該弾性アーム１６１のもう一端から下向きに延びて形成され、また、前記嵌め溝１２内には前記絶縁ハウジング１０から連接アーム１６５が突出され、当該連接アーム１６５が前記弾性アーム１６１と連接される（図３をご参照）。当該嵌め溝１２の内側壁には係合ブロック１７が凸設され、当該係合ブロック１７は前記弾性アーム１６１の自由端側に位置し、且つ当該係合ブロック１７は前記保持部１６２の下方に位置する。自然状態では、前記スナップフィット部１６の前記弾性アーム１６１は上向いて反りあがりながら、前記保持部が前記嵌め溝１２内に位置し、平型導体３０が自由に前記案内溝１１に挿嵌できる（図３をご参照）。平型導体３０が完全に前記案内溝１１に挿嵌した後、前記スナップフィット部１６の前記保持部１６２が前記係合ブロック１７の下方に係止するまで、前記スナップフィット部１６を下向きに押す。そして、前記保持部１６２が前記案内溝１１に延びて、即ち前記保持部１６２が平型導体３０の前記切欠き部３１に係合し、平型導体３０を固定し位置決めするので、平型導体３０が前記案内溝１１から抜け防止可能である（図４をご参照）。なお、前記スナップフィット部１６の外表面は前記絶縁ハウジング１０の外表面を越えないことが前記絶縁ハウジング１０の外表面の構造の綺麗さ及び整然さの確保につながる。
【００２６】
また、図３乃至図４に示すように、前記保持部１６２には当接斜面１６３が設けられる。これにより、平型導体３０が当該当接斜面１６３の圧力によって前記案内溝１１の底面にしっかりと押し付けられるため、平型導体３０の上下振動の発生を有効に防止可能である。更に、前記保持部１６２の底側面には、前記保持部１６２を平型導体３０の前記切欠き部３１に押す際に弾性変形させるための逃げ溝１６４が上向きに凹設される。本実施の形態において、前記保持部１６２にはガイド部１６６が設けられる。当該ガイド部１６６が前記切欠き部３１に押される際に弾性変形するため、前記保持部１６２がより簡単に平型導体３０の前記切欠き部３１に係合するようになる。前記保持部１６２が前記切欠き部３１に係合すると、前記当接斜面１６３が前記保持部１６２の弾性回復によってもっとしっかりと平型導体３０に押し付けられるようになる。
【００２７】
前記シールドケース２０は前記絶縁ハウジング１０内に位置し、前記案内溝１１の下方には前記シールドケース２０を挿入するための収容部１９が設けられる。当該シールドケース２０はシールドケース基板２１と、当該シールドケース基板２１の左右両側にそれぞれ連接されるロックアーム２２を備え、当該ロックアーム２２は一体に連接される押止部２２１、弾性被圧部２２２及びフック部２２３を備え、２つの当該押止部２２１はそれぞれ一体に当該シールドケース基板２１の左右両側に連接される（図２をご参照）。前記シールドケース基板２１の側面には押止突起２１３が外へ延出して一体に形成される。前記シールドケース２０を前記絶縁ハウジング１０内に組立てると、当該押止突起２１３が前記絶縁ハウジング１０にしっかりと当接する（図６をご参照）。前記シールドケース２０には更に平型導体３０を簡単に挿嵌させるための弾性係合部２１２と、平型導体３０と接触させるためのコンタクト２１１が増設され、前記シールドケース基板２１と前記案内溝１１との間には前記コンタクト２１１を活動させるための通し溝１８が形成され、当該通し溝１８の前端には平型導体３０を簡単に挿嵌させるためのガイド斜面１８１が設けられる（図５をご参照）。
【００２８】
組立時に前記シールドケース２０を前記収容部１９に挿嵌し、そして、平型導体３０を前記案内溝１１に挿嵌する。さらに前記スナップフィット部１６を下向きに圧下することで前記保持部１６２を平型導体３０の前記切欠き部３１に係合させる。これにより、前記電気コネクタの組立て及び前記電気コネクタと平型導体３０との連接固定が完了する。
【００２９】
以上の各実施の形態から明らかなように、本発明について特に注目すべき点は、前記嵌め溝１２に前記絶縁ハウジング１０と一体に連接される前記スナップフィット部１６が内設されることにより平型導体３０と係合する。自然状態では前記スナップフィット部１６は上向いて反りあがっているので、前記案内溝１１に平型導体３０を挿嵌後、前記保持部１６２が前記絶縁ハウジング１０の前記係合ブロック１７と係合するまで、前記スナップフィット部１６を押せばよい。本発明は構造が簡単で、製造しやすく、手軽且つ迅速に組み立て可能で、組立後の平型導体も構造が安定で抜けにくく、生産効率及び製品品質を効果的に向上させる。また、前記保持部１６２には平型導体３０に当接するための当接斜面１６３が設けられる。これにより、当該スナップフィット部１６を前記絶縁ハウジング１０の前記係合ブロック１７の下方に係止した後、平型導体３０が当該当接斜面１６３の圧力によって前記案内溝１１の底面にしっかりと押し付けられるため、平型導体３０の上下振動の発生を有効に防止可能である。これにより、平型導体の組立て後の安定さをさらに向上させる。
【００３０】
なお、上述では本発明の好ましい実施例を開示したに過ぎず、それを以って、本発明の特許請求の範囲が制限されることは無く、本発明の思想を逸脱することなく本発明の技術案に対する改造やそれと同じ置き換えを行っても、それはすべて本発明の範囲に含まれるものである。
【符号の説明】
【００３１】
１０  絶縁ハウジング
１１  案内溝
１２  嵌め溝
１３  案内斜面
１４  反り防止部
１５  ストッパー部
１６  スナップフィット部
１６１  弾性アーム
１６２  保持部
１６３  当接斜面
１６４  逃げ溝
１６５  連接アーム
１６６  ガイド部
１７  係合ブロック
１８  通し溝
１８１  ガイド斜面
１９  収容部
１０１  嵌合口
２０  シールドケース
２１  シールドケース基板
２１１  コンタクト
２１２  弾性係合部
２１３  押止突起
２２  ロックアーム
２２１  押止部
２２２  弾性被圧部
２２３  フック部
３０  平型導体
３１  切欠き部
【図１】
2015518247.tif 000003
【図２】
2015518247.tif 000004
【図３】
2015518247.tif 000005
【図４】
2015518247.tif 000006
【図５】
2015518247.tif 000007
【図６】
2015518247.tif 000008
【図７】
2015518247.tif 000009
【国際調査報告】
2015518247.tif 000010
2015518247.tif 000011
2015518247.tif 000012
2015518247.tif 000013
2015518247.tif 000014
2015518247.tif 000015